(57)【要約】【課題】全体の構造が簡素であり、かつ使用及び携帯に便利な昇降構造を提供する。【解決手段】簡素な構造を有する昇降構造は、受座機構１、昇降装置２及び駆動装置３を備える。受座機構１は、昇降装置２を連結固定する上部受座１１及び下部受座１２を有する。駆動装置３は、昇降装置２内に配置されるとともに、受座機構１に連結固定される。昇降装置２は、第１昇降体２１、第２昇降体２２及び第３昇降体２３を有する。第１昇降体２１の上端外周には、所定距離を有する外ギヤ２２４が形成される。第２昇降体２２は、複数個重ねて配置され、内側に内歯列２２２，２３２が形成されるとともに、端部に内係止部２２１，２３１が周設され、上端外周に外係止部２２３が周設される。第３昇降体２３は、内側に内歯列２２２が形成され、端部に内係止部２２１，２３１が周設されている。【選択図】図２
0003180910.tif 000002
【実用新案登録請求の範囲】
【請求項１】
受座機構、昇降装置及び駆動装置を備えた昇降構造であって、
前記受座機構は、前記昇降装置を連結固定する上部受座及び下部受座を有し、
前記駆動装置は、前記昇降装置内に配置されるとともに、前記受座機構に連結固定され、
前記昇降装置は、第１昇降体、第２昇降体及び第３昇降体を有し、前記第１の昇降体の上端外周には、所定距離を有する外ギヤが形成され、前記第２の昇降体は、複数個重ねて配置され、内側に内歯列が形成されるとともに、端部に内係止部が周設され、上端外周に外係止部が周設され、前記第２昇降体の上端には、所定距離を有する外ギヤが前記外係止部との間に形成され、前記第３昇降体は、内側に内歯列が形成され、端部に内係止部が周設されていることを特徴とする昇降構造。
【請求項２】
前記第１昇降体、前記第２昇降体及び前記第３昇降体は、前記内歯列と前記外ギヤとをそれぞれ噛合させるとともに前記駆動装置により作動し、前記外係止部と前記内係止部との組み合わせにより係止されることを特徴とする請求項１に記載の昇降構造。
【請求項３】
前記駆動装置は、動力モータ、制御スイッチ、伝動軸及び回転磁場スイッチを有し、
前記動力モータは、前記制御スイッチ及び前記伝動軸と電気的に接続され、前記制御スイッチをオンオフして前記動力モータにより前記伝動軸を駆動させて前記昇降装置の昇降動作を行い、
前記回転磁場スイッチは、前記昇降装置の前記内係止部と前記外係止部との間の誘導状態を制御することを特徴とする請求項２に記載の昇降構造。
【請求項４】
前記昇降装置の周囲には、複数のハウジングを重ねて構成した保護カバーが配置されることを特徴とする請求項１に記載の昇降構造。
【請求項５】
前記保護カバーの前記ハウジングの内側面には、凹溝が周設され、
前記ハウジングの端部外側面の周囲には、突起端が突設され、
前記ハウジングの内側面に形成された凹溝には、前記ハウジングの外側面に形成された前記突起端が嵌合されて当接された状態となり、昇降動作を行うことを特徴とする請求項４に記載の昇降構造。
【考案の詳細な説明】
【技術分野】
【０００１】
本考案は、昇降構造に関するものであり、さらに詳しくは構造が簡素で携帯に便利な昇降構造に関するものである。
【背景技術】
【０００２】
従来の昇降構造は、その構造上、重量物を搭載して伸長することにより高所へ移動させることができるように設計されている。昇降構造は、通常、操作が簡単であり、自由度及び信頼度の高いものが要求され、突き上げ力が大きいなどの特徴を有するものであり、このような昇降構造を使用すれば、作業効率を高めることができる。
【０００３】
昇降構造は、構造が簡素で便利な起重装置であるとともに、様々な場面で重量物を搭載したり搬送したりすることができる上、それが有する昇降機能により組み立て及び修理等の作業、例えば、各種機械設備の移動又は取付け、自動車の修理、重量物の運送・昇降などにおいて、作業効率を向上させて作業員の肉体的負担を減らすとともに、作業員の安全を確保することができる。また工場、倉庫、建築現場などの場所で幅広く応用することもできる。
【０００４】
かかる状況下において、実用新案登録第３１１３８３９号公報には、液晶モニターなどの薄型パネルの位置の高さを好みに合わせて選択して調整・支持するために支持部用の昇降機構を備えた昇降装置が記載されている。かかる昇降装置は、第１プレート及び第２プレートからなるフレーム構造を有し、フレーム構造の中に摺動手段である昇降版を設置し、第１プレートには枢支軸を介して、係止金具が設置され、第２プレートには操作桿が配置され、操作桿を介して係止金具を昇降版に成形させた凹溝に選択的に合わせることにより、昇降版が上下に移動する構成が列記されている。
しかし、薄型パネルの高さ調整以外の重量物の昇降作業に利用するには、さらに、強固で簡素な構造が要求されている。
【特許文献１】実用新案登録第３１１３８３９号公報
【考案の概要】
【考案が解決しようとする課題】
【０００５】
従って、本考案の課題は、全体の構造が簡素な構造を有する昇降構造を提供することにある。
【０００６】
本考案のもう一つの課題は、使用及び携帯に便利で、簡素な構造を有する昇降構造を提供することにある。
【課題を解決するための手段】
【０００７】
そこで、本考案者は、前記の本考案の課題を解決するため、鋭意検討を重ねた結果、躯体が円筒状であり、噛合機構により複数の単位体の昇降を調整することにより、前記課題を解決できることに着目し、かかる知見に基づいて、本考案を想到するに至った。
【０００８】
かくして、上記課題を解決するために、本考案によれば、受座機構、昇降装置及び駆動装置を備えた簡素な構造を有する昇降構造であって、
前記受座機構は、前記昇降装置を連結固定する上受座及び下受座を有し、
前記駆動装置は、前記昇降装置内に配置されるとともに、前記受座機構に連結固定され、
前記昇降装置は、第１昇降体、第２昇降体及び第３昇降体を有し、前記第１昇降体の上端外周には、所定距離を有する外ギヤが形成され、前記第２昇降体は、複数個重ねて配置され、内側に内歯列が形成されるとともに、端部に内係止部が周設され、上端外周に外係止部が周設され、前記第２昇降体の上端には、所定距離を有する外ギヤが前記外係止部との間に形成され、前記第３昇降体は、内側に内歯列が形成され、端部に内係止部が周設されていることを特徴とする簡素な構造を有する昇降構造が提供される。
【０００９】
前記第１昇降体、前記第２昇降体及び前記第３昇降体は、前記内歯列と前記外ギヤとをそれぞれ噛合させるとともに前記駆動装置により作動し、前記外係止部と前記内係止部との組み合わせにより係止されることが好ましい。
【００１０】
前記駆動装置は、動力モータ、制御スイッチ、伝動軸及び回転磁場スイッチを有し、前記動力モータは、前記制御スイッチ及び前記伝動軸と電気的に接続され、前記制御スイッチをオンオフして前記動力モータにより前記伝動軸を駆動させて前記昇降装置の昇降動作を行い、前記回転磁場スイッチは、前記昇降装置の前記内係止部と前記外係止部との間の誘導状態を制御することが好ましい。
【００１１】
前記昇降装置の周囲には、複数のハウジングを重ねて構成した保護カバーが配置されることが好ましい。
【００１２】
前記保護カバーの前記ハウジングの内側面には、凹溝が周設され、前記ハウジングの端部外側面の周囲には、突起端が突設され、前記ハウジングの内側面に形成された凹溝には、前記ハウジングの外側面に形成された前記突起端が嵌合されて当接された状態となり、昇降動作を行うことが好ましい。
【考案の効果】
【００１３】
本考案は、前記の通りの構成からなり、簡素な構造であると共に、昇降動作を正確にかつ安定的に行うことができ、高さの微調整を効率よく行うことができる。
【図面の簡単な説明】
【００１４】
【図１】図１は、本考案の一実施形態に係る簡素な構造を有する昇降構造を示す斜視図である。
【図２】図２は、本考案の一実施形態に係る簡素な構造を有する昇降構造を示す使用断面図（１）である。
【図３】図３は、本考案の一実施形態に係る簡素な構造を有する昇降構造を示す使用断面図（２）である。
【図４】図４は、本考案の一実施形態に係る簡素な構造を有する昇降構造を示すブロック図である。
【図５】図５は、本考案の他の実施形態に係る簡素な構造を有する昇降構造を示す斜視図である。
【図６】図６は、本考案の他の実施形態に係る簡素な構造を有する昇降構造を示す断面図である。
【考案を実施するための形態】
【００１５】
以下、本考案の実施形態について図面に基づいて説明する。なお、これによって本考案が限定されるものではない。
【００１６】
図１〜図４を参照する。図１〜図４に示すように、本考案の一実施形態に係る簡素な構造を有する昇降構造は、少なくとも受座機構１、昇降装置２及び駆動装置３から構成される。受座機構１間には、昇降装置２が連結固定される。駆動装置３は、昇降装置２の内部に配置され、受座機構１に連結固定される。
【００１７】
受座機構１は、昇降装置２及び駆動装置３を連結固定する、互いに対応した上部受座１１及び下部受座１２を有する。
【００１８】
昇降装置２は、内部に駆動装置３が配置されるとともに受座機構１間に連結固定される。昇降装置２は、第１昇降体２１、第２昇降体２２及び第３昇降体２３を有する。第１昇降体２１の上端外周には、所定距離を有する外ギヤ２１１が形成されている。第２昇降体２２は、内側に内歯列２２２が形成されるとともに、端部に内係止部２２１が周設される。第２昇降体２２の内歯列２２２は、第１昇降体２１の外ギヤ２１１と噛合される。第２昇降体２２の上端外周には、外係止部２２３が周設される。外係止部２２３と第２昇降体２２の上端との間には、所定距離を有する外ギヤ２２４が形成されている。第３昇降体２３は、内側に内歯列２３２が形成され、端部に内係止部２３１が周設される。第３昇降体２３の内歯列２３２は、第２昇降体２２の外ギヤ２２４と噛合される。
【００１９】
駆動装置３は、昇降装置２内に配置されるとともに、受座機構１の下受座１２に連結固定される。駆動装置３は、動力モータ３１、制御スイッチ３２、伝動軸３３及び回転磁場スイッチ３４を有する。動力モータ３１は、制御スイッチ３２及び伝動軸３３と電気的に接続され、駆動装置３の制御スイッチ３２をオンオフして動力モータ３１により伝動軸３３を駆動させて昇降装置２の昇降動作を行う。回転磁場スイッチ３４は、昇降装置２の内係止部２２１，２３１と外係止部２２３との間の誘導状態を制御する。
【００２０】
さらに詳細には、昇降装置２の第１昇降体２１、第２昇降体２２及び第３昇降体２３は、内歯列２２２，２３２と外ギヤ２１１，２２４とをそれぞれ噛合させ、駆動装置３により作動される。駆動装置３の制御スイッチ３２をオンオフして動力モータ３１により伝動軸３３を駆動させて昇降装置２の昇降動作を行う。昇降装置２は、螺旋方式により上昇動作を行い、昇降装置２の第１昇降体２１、第２昇降体２２及び第３昇降体２３は、内係止部２２１，２３１と外係止部２２３との間で誘導されて動きが停止する（図２参照）。第２昇降体２２は、昇降装置２の上昇可能な高さを大きくするために、複数個を重ねて構成してもよい。昇降装置２の内係止部２２１，２３１及び外係止部２２３は、強力磁石である。駆動装置３の回転磁場スイッチ３４をオンオフすることにより、昇降装置２の内係止部２２１，２３１と外係止部２２３との間の磁性状態を変え、制御スイッチ３２をオンオフすることにより下降動作を行う（図３参照）。
【００２１】
図５及び図６を参照する。図５及び図６に示すように、本考案の他の実施形態に係る簡素な構造を有する昇降構造は、少なくとも受座機構１、昇降装置２及び駆動装置３から構成される。受座機構１間には、昇降装置２が連結固定される。駆動装置３は、昇降装置２内に配置されるとともに、受座機構１の下受座１２へ連結固定され、駆動装置３の制御スイッチ３２及び回転磁場スイッチ３４をオンオフして動力モータ３１により伝動軸３３を駆動させて昇降装置２の昇降動作を行う。昇降装置２の周囲には、保護カバー４が設けられてもよい。保護カバー４は、複数のハウジング４１が重ねられて配列構成される。ハウジング４１の内側面には、凹溝４２が周設される。ハウジング４１の端部外側の周囲には、突起端４３が突設される。ハウジング４１の内側面に設けた凹溝４２には、ハウジング４１の外側面に形成された突起端４３が嵌合されて当接された状態となり、昇降動作を行う。
【００２２】
以上、本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００２３】
１  受座機構
２  昇降装置
３  駆動装置
４  保護カバー
１１  上部受座
１２  下部受座
２１  第１昇降体
２２  第２昇降体
２３  第３昇降体
３１  動力モータ
３２  制御スイッチ
３３  伝動軸
３４  回転磁場スイッチ
４１  ハウジング
４２  凹溝
４３  突起端
２１１  外ギヤ
２２１  内係止部
２２２  内歯列
２２３  外係止部
２２４  外ギヤ
２３１  内係止部
２３２  内歯列
【図１】
0003180910.tif 000003
【図２】
0003180910.tif 000004
【図３】
0003180910.tif 000005
【図４】
0003180910.tif 000006
【図５】
0003180910.tif 000007
【図６】
0003180910.tif 000008